(57)【要約】      （修正有）【課題】椅子の偏荷重による可動レールのたわみの発生を簡単な構造で軽減し、椅子の前倒れの状態を防ぐことができる椅子式階段昇降機のレール収納装置の提供。【解決手段】階段の壁面に沿って配置されたレール２の固定レール２ａと可動レール２ｂの分断側端部に固定した取付け板１０と１１を回転アーム１４で連結し、この回転アーム１４の回動で可動レール２ｂを固定レール２ａの延長位置と固定レール２ａの上部収納位置とに回動させるようにし、前記固定側取付け板１０に偏荷重を受けた回転アーム１４の中間部を支持する支持部材３４を設け、前記固定側取付け板１０に、固定レール２ａと共締めした状態で補強バー３５を取付け、固定側取付け板１０の可動側取付け板１１の突き合わせ状態となる側縁に、可動側取付け板１１の側縁が当接することによって可動レール２ｂの偏荷重を受ける押さえ材４０が設けてある。【選択図】図２
2008201520.tif 000002
【特許請求の範囲】
【請求項１】
椅子の昇降動を誘導するよう階段の壁面に沿って配置されたレールの下階側に位置する端部寄りの途中を分断し、このレールの前記分断部分から上階側を階段に対する固定レール、下階端部側を可動レールとし、前記固定レールと可動レールの分断側端部に、固定レールに対して可動レールが延長状の位置で側縁が互いに突き合わせ状態となる取付け板をそれぞれ固定し、前記固定側取付け板と可動側取付け板を、一端を固定側取付け板に固定した支持軸に枢止し、他端を可動側取付け板に固定した支持軸に枢止した回転アームで連結し、前記固定側取付け板に、前記回転アームを固定側取付け板の支持軸に枢止した一端側でこの支持軸を中心に起伏揺動させ、この回転アームの他端側に枢止した可動レールを固定レールに対して延長状の位置と固定レールの上部収納位置との間で回動させる回転駆動機構を取付け、前記固定側取付け板に、可動レールが固定レールに対して延長状態で前記回転アームに生じた偏荷重を受ける支持部材を設け、前記固定側取付け板の支持軸を挟む両側の位置に、レールと共締めした状態で補強バーを取付け、固定側取付け板の可動側取付け板の側縁が突き合わせ状態となる側縁に、偏荷重による可動側取付け板のねじれを軽減させる押さえ材を設けた椅子式階段昇降機のレール収納装置。
【請求項２】
上記可動側取付け板の下がり側端部に、固定レールに対して可動レールが延長状の状態で階段の下階床面に接地して可動レールの下がり側下端部を支持するブラケットを取付け、このブラケットの床面に対する接地面が、ショア硬度の高い材質になっている請求項１に記載の椅子式階段昇降機のレール収納装置。
【発明の詳細な説明】
【技術分野】
【０００１】
この発明は、階段の昇降を椅子に座った状態で行える椅子式階段昇降装置において、椅子の昇降を誘導するレールの下階側の端部を折り畳むことによって短くできるようにしたレール収納装置に関する。
【背景技術】
【０００２】
階段の昇降が困難な人の福祉機器として、椅子に座るだけで階段を昇降できるようにした椅子式階段昇降装置は、階段の壁面に沿って階段と同様に傾斜するレールを平行状態に設置し、このレールに椅子を溝形車輪で移動可能に取付け、椅子に腰をかけた状態でスイッチを操作し、椅子の昇降機構を起動させることにより椅子がレールに沿って移動し、椅子に座った状態で階段の昇降が行えるようになっている。
【０００３】
上記のような椅子式階段昇降装置は、階段の下階側において、椅子に対する乗り降りが円滑に支障なく行えるよう、レールの下端は下階床面に接近するよう設置され、このため、下階側において、ガイドレールの下端が階段の壁面からはみ出すことになる。
【０００４】
椅子式階段昇降装置の設置は大半が一般家庭であり、階段の下階は人が通る廊下等になっている場合が多く、上記のようにレールの下端が階段の壁面から床面上へ突出していると、レールに人がつまずく等の危険性があり、また、レールの下端が突出することにより、階段の下階側の床面スペースを占領し、ドア等がある場合に開閉が自由にできないといった障害が生じたり、また、椅子式階段昇降装置を設置できないケースもでる可能性がある。
【０００５】
従来、上記のような不都合を解消するため、レールの下端を所定長さの位置で分断し、このレールの前記分断部分から上階側を階段に対する固定レール、下階端部側を可動レールとし、前記固定レールの端部に可動レールを接続機構で回動自在に取付け、可動レールを固定レールの延長状態と固定レールの上部へのはね上げ状態の何れかに変化させることができるようにし、可動レールを跳ね上げることにより、階段の下階床面へのレールのはみ出しをなくすようにした椅子式階段昇降装置のレール収納装置が提案されている（例えば、特許文献１と２参照）。
【特許文献１】特表２００２−５２７３２４号公報
【特許文献２】特開２００１−２２６０５７号公報
【発明の開示】
【発明が解決しようとする課題】
【０００６】
ところで、椅子式階段昇降装置においては、レールに対して椅子が階段壁面と反対側の側面に突出するよう取付けられ、また、レールを固定レールと可動レールに分断すると、可動レールは、床面又は壁面に固定されないため、固定レールとの接続部分における回転中心での片持ち構造となり、このため、椅子が可動レールにあると、その重量で可動レールに偏荷重がかかり、可動レール全体にたわみが生じる。
【０００７】
それにより、椅子が前倒れの状態になることで、利用者に恐怖感を与えるという問題がある。
【０００８】
また、可動レールにたわみ、即ち、変形を生じるということは、相応の応力が固定レールと接続するための可動部分を支持する部材に生じていることになり、このため、固定レールとの接続機構に剛性を持たせた構造の採用が必要になり、接続部分の構造が大型化するという問題がある。
【０００９】
更に、可動レールが固定レールに対して延長状態にあるとき、主に可動レールの垂直荷重を支持するために、可動レールの下端部に床面に接地するブラケットを設けているが、このブラケットが鋼製であると、床面が木材、フローリング材等の場合、ブラケットが接地する際の衝撃や、あるいは、椅子が可動レールに昇降するとき及び、利用者が椅子に乗り降りするときの押し込み荷重（圧縮力）で傷を付けてしまうという問題もある。
【００１０】
そこで、この発明の課題は、椅子と利用者の重量が作用することによって生じた偏荷重による可動レールのたわみの発生を簡単な構造で軽減し、椅子の前倒れの状態を防ぐことができると共に、可動レールの床面に対する接地時に、床面に傷が付かないよう保護することができる椅子式階段昇降機のレール収納装置を提供することにある。
【課題を解決するための手段】
【００１１】
上記のような課題を解決するため、この発明は、椅子の昇降動を誘導するよう階段の壁面に沿って配置されたレールの下階側に位置する端部寄りの途中を分断し、このレールの前記分断部分から上階側を階段に対する固定レール、下階端部側を可動レールとし、前記固定レールと可動レールの分断側端部に、固定レールに対して可動レールが延長状の位置で側縁が互いに突き合わせ状態となる取付け板をそれぞれ固定し、前記固定側取付け板と可動側取付け板を、一端を固定側取付け板に固定した支持軸に枢止し、他端を可動側取付け板に固定した支持軸に枢止した回転アームで連結し、前記固定側取付け板に、前記回転アームを固定側取付け板の支持軸に枢止した一端側でこの支持軸を中心に起伏揺動させ、この回転アームの他端側に枢止した可動レールを固定レールに対して延長状の位置と固定レールの上部収納位置との間で回動させる回転駆動機構を取付け、前記固定側取付け板に、可動レールが固定レールに対して延長状態で前記回転アームに生じた偏荷重を受ける支持部材を設け、前記固定側取付け板の支持軸を挟む両側の位置に、レールと共締めした状態で補強バーを取付け、固定側取付け板の可動側取付け板の側縁が突き合わせ状態となる側縁に、偏荷重による可動側取付け板のねじれを軽減させる押さえ材を設けた構成を採用したものである。
【００１２】
上記可動側取付け板の下がり側端部に、固定レールに対して可動レールが延長状の状態で階段の下階床面に接地して可動レールの下がり側下端部を支持するブラケットを取付け、このブラケットの床面に対する接地面が、ショア硬度の高い材質になっている構造とすることができる。
【００１３】
ここで、レールは、下部が開放した略円筒形で内部に設けた中間板の下面にチエンラックを設けた断面形状を有し、階段の壁面に沿うよう階段上に支柱を用いて固定配置され、このレールに溝形の車輪で取付けた椅子は、昇降機構のピニオンをチエンラックに噛合させ、昇降機構を起動させることでレールに沿って昇降動することになる。
【００１４】
上記各取付け板は、固定レールと可動レールに対して階段の壁面側に固定し、固定レールに対して可動レールが延長状の位置で側縁が互いに突き合わせ状態となり、可動レールに加わる荷重を支持すると共に、固定レールの取付け板は支柱で階段に固定支持され、可動レールの重荷垂直荷重は階段の下階床面に接地するブラケットで支持される。
【００１５】
上記回転アームは、二枚の鋼板を用いて強度を持たせ、スペーサを挟むことで対向面間に間隔を有し、その間に姿勢保持機構を隠蔽状に収納することで全体の幅を狭くしていると共に、固定側取付け板に設けた回転駆動機によって起伏回動することになる。
【００１６】
この回転駆動機構は、固定レールの取付け板にギヤードモータを固定し、このモータの小径駆動スプロケットと、固定レールの取付け板に固定した支持軸に回転可能に取付けた大径スプロケットをチエンで連動し、前記大径スプロケットと回転アームの固定レール側端部を一体に固定化し、モータの起動により大径スプロケットを回転させることで回転アームを固定レール側の支持軸を支点に揺動させるようになっている。
【００１７】
このように、回転アーム及び姿勢保持機構の駆動において、回転駆動機構のモータを切離してチエンで間接駆動するようにすると、回転アームと回転駆動機構の幅を小さくすることができる。
【００１８】
上記固定レール側の取付け板には、可動レールが固定レールの延長状態で回転アームの固定レール側の端部を押し上げ支持し、可動レールの収納位置への回動を補助すると共に、伏倒を緩速にするシリンダが設けてある。
【００１９】
上記姿勢保持機構は、二枚の回転アームの間で両支持軸に回転不能に取付けたスプロケット間に、エンドレスチエンを、複数の中間スプロケットを介して巻架して形成され、回転アームの揺動時に、固定側支持軸に対して回転不能となるスプロケットに対してエンドレスチエンの噛合位置が変異することで、エンドレスチエンに回動が生じ、これによって可動側支持軸とこれに固定となる取付け板を回動させることにより、可動レールを固定レールに略平行する姿勢で回動させるようになっている。
【００２０】
上記回転アームに偏荷重が作用したときにこれを受ける支持部材は、上下に長い角軸に形成され、固定側取付け板の側面で、回転アームの中間部と対応する位置に固定され、固定レールに対して可動レールが延長状態で、可動レールに椅子が位置して偏荷重が作用した場合に、この偏荷重によるねじれが生じた回転アームの中間部側面を支持部材で支持することで、回転アームを支持する支持軸や軸受けのみに負荷がかからないようにする。
【００２１】
また、固定側取付け板の押さえ材は、固定側取付け板の側縁に固定したＬ形部材で形成され、これに可動側取付け板の側縁が当接することで、可動レールに加わる階段壁面と反対側に向けてのねじれ荷重を支持することになる。
【００２２】
更に、可動レールに設けたブラケットの接地面は、ショア硬度の高いウレタン等を用い、その下面に床面への吸着発生を防ぐための凹溝が形成されている。
【発明の効果】
【００２３】
この発明によると、固定レールの端部に可動レールを回転アームで取付け、可動レールを固定レールの延長状態と固定レールの上部に略平行する姿勢で収納するレール収納装置であって、前記固定側取付け板の回転アームの中間部と対応する位置に、可動レールが固定レールに対して延長状態で、偏荷重によりねじれた回転アームの中間部を受ける支持部材を設けたので、可動レールに椅子が位置して回転アームに偏荷重が作用した場合に、回転アームのねじれを支持部材で支持することができ、これによって、回転アームを支持する支持軸や軸受けのみに負荷がかからないようにすることができ、これら回転アームを支持する部材の耐久性を向上させることができる。
【００２４】
また、固定側取付け板の支持軸を挟む両側の位置に、レールと共締めした状態で補強バーを取付けたので、回転アームを支持する固定側取付け板の剛性が増し、使用する金属板の薄板化が可能になる。
【００２５】
更に、固定側取付け板の可動側取付け板の側縁が突き合わせ状態となる側縁に、可動側取付け板のねじれを軽減させる押さえ材を設けたので、可動レールに加わる階段壁面と反対側に向けてのねじれ荷重を支持することができ、椅子が前倒れになるのを防ぎ、利用者に恐怖感をあたえることがなくなる。
【００２６】
また、可動レールに設けたブラケットをショア硬度の高い接地面としたので、ブラケットが接地する際の衝撃や、あるいは、椅子が可動レールを昇降するとき及び、利用者が椅子に乗り降りするときの押し込み荷重を軽減し、床面を保護することができる。
【発明を実施するための最良の形態】
【００２７】
以下、この発明の実施の形態を図面に基づいて説明する。
【００２８】
図１乃至図３と図７図８のように、椅子式階段昇降装置１は、階段Ａの壁面Ｂに沿って上下で平行する一対のレール２を、階段Ａに固定した支柱３での取付けによって傾斜状に設置し、この上下のレール２に椅子４が取付けられている。
【００２９】
上下のレール２は、図５のように、下部が開放した略円筒形で内部に設けた中間板５の下面にチエンラック６を設けた断面形状を有し、この上下のレール２に溝形の車輪７で取付けた椅子４は、この椅子４に設けた電源によって作動する昇降機構８のピニオン９をチエンラック６に噛合させ、昇降機構８を起動させることでレール２に沿って昇降動することになる。
【００３０】
図１乃至図３のように、上記した上下のレール２は、下階側に位置する端部の途中が、端部から所定長さの上下等しい位置で分断され、分断部分から上階側を階段Ａに対して固定した固定レール２ａ、下階端部側を可動レール２ｂとし、前記固定レール２ａと可動レール２ｂの分断側端部で階段Ａの壁面Ｂ側の位置に、鋼板を用いた取付け板１０と１１がそれぞれ固定されている。
【００３１】
上下の固定レール２ａの固定側取付け板１０は、両端部が階段Ａ上に固定した支柱１２により支持され、固定レール２ａの分断側端部に加わる荷重を支柱１２で支持するようになっていると共に、この固定側取付け板１０と、上下の可動レール２ｂに固定した可動側取付け板１１とは、固定レール２ａに対して可動レール２ｂが延長状の位置で側縁が互いに突き合わせ状態となり、この両取付け板１０と１１の衝合する側縁と、可動レール２ｂが固定レール２ａの延長状態で階段Ａの下階床面に接地するよう可動側取付け板１１の下端部に固定したブラケット１３で、可動レール２ｂに加わる鉛直荷重を支持するようになっている。
【００３２】
上記固定側取付け板１０と可動側取付け板１１を回転アーム１４で連結し、固定側取付け板１０にこの回転アーム１４の回転駆動機構１５を取付け、この回転駆動機構１５で回転アーム１４を起伏揺動させることにより、可動レール２ｂを固定レール２ａに対して延長状の位置と固定レール２ａの上部に位置させた収納位置との間で回動させることができるようになっていると共に、回転アーム１４には、この回転アーム１４の揺動で回動する可動レール２ｂを一定の姿勢に保持するための姿勢保持機構１６が隠蔽状に収納されている。
【００３３】
上記回転アーム１４は、二枚の鋼板を用い、その間にスペーサや角パイプ等の補強材を挟むことで対向面間に間隔を有し、図４（ａ）のように、一方の端部は、固定側取付け板１０の略中央部で、上下固定レール２ａ間の位置に溶接で回転しないように固定した支持軸１７に軸受１８を介して枢止し、他方の端部は、図４（ｂ）のように、可動側取付け板１１の略中央部で上下可動レール２ｂ間の位置に溶接で固定した支持軸１９に軸受２０を介して枢止し、固定側取付け板１０の支持軸１７を支点に揺動することで、固定レール２ａに対して可動レール２ｂを、固定レール２ａの延長状の位置と固定レール２ａの上部収納位置とに回動させることができるようになっている。
【００３４】
この回転アーム１４を揺動させる回転駆動機構１５は、固定側取付け板１０にギヤードモータ２１を固定し、このモータ２１の小径駆動スプロケット２２と、固定側取付け板１０に固定した支持軸１７に回転可能に取付けた大径スプロケット２３をチエン２４で連動し、図９（ａ）のように、前記大径スプロケット２３と回転アーム１４の固定レール２ａ側端部を溶接によって一体に固定化し、モータ２１の起動により大径スプロケット２３を減速回転させることで回転アーム１４を固定レール２ａ側の支持軸１７を支点に揺動させるようになっている。
【００３５】
上記姿勢保持機構１６は、図４（ａ）と（ｂ）のように、二枚の回転アーム１４の間で両支持軸１７と１９にスプロケット２５と２６をそれぞれの支持軸１７と１９に対して回転不能に取付け、図２のように、両端のスプロケット２５と２６間に、エンドレスチエン２７を、二枚の回転アーム１４の間に設けた複数の中間スプロケット２８を介して巻架することにより形成され、回転アーム１４の揺動時にエンドレスチエン２７も一体に揺動し、固定側支持軸１７に対して回転不能となるスプロケット２５に対してエンドレスチエン２７の噛合位置が変移することで、エンドレスチエン２７に回動が生じ、これによって可動側支持軸１９とこれに固定となる可動側取付け板１１を回動させることにより、可動レール２ｂを固定レール２ａに略平行する姿勢で回動させるようになっている。
【００３６】
上記固定側支持板１０には、可動レール２ｂが固定レール２ａの延長状態で回転アーム１４の固定レール２ａ側の端部を押し上げ支持し、可動レール２ｂの収納位置への回動を補助すると共に、伏倒を緩速にするシリンダ２９と、可動レール２ｂの収納位置で回転アーム１４の起立を検出してモータ２１を停止させるリミットスイッチ３０と、固定レール２ａに対する可動レール２ｂの延長状態で可動側取付け板１１の側縁を検出し、モータ２１を停止させるリミットスイッチ３１が設けてある。
【００３７】
なお、レール収納装置は、図８と図９のように、固定側取付け板１０と可動側取付け板１１それぞれカバー３２と３３で覆って隠蔽している。
【００３８】
上記固定側取付け板１０の回転アーム１４と対向する側面で、可動レール２ｂが固定レール２ａの延長状態にあるときの回転アーム１４の中間部と対応する位置に、前記回転アーム１４に作用した偏荷重によるねじれを受けるための支持部材３４が設けられている。
【００３９】
図７のように、この支持部材３４は、硬質樹脂を用いて角軸に形成され、固定側取付け板１０の上部にボルト３４ａで斜めに固定され、固定レール２ａに対して可動レール２ｂが延長状態で、可動レール２ｂに対する偏荷重で回転アーム１４が椅子４側にねじれた場合に、これを支持することで、回転アーム１４を支持する支持軸１７、１９や軸受１８、２０のみに負荷がかからないようにしている。
【００４０】
また、上記固定側取付け板１０の階段壁面に向く側面で支持軸１７を挟む両側の位置に、上下方向に長い角材を用いた補強バー３５が固定レール２ａと共締めした状態で固定されている。
【００４１】
この補強バー３５の取付けは、図５のように、上下固定レール２ａにスペーサ３６を介して固定側取付け板１０を重ね、更に、固定側取付け板１０に補強バー３５を重ね、これらの重なり部分を補強バー３５から固定レール２ａに向けてねじ込んだボルト３７で締結することにより行っており、補強バー３５により回転アーム１４を支持する固定側取付け板１０の剛性が増し、使用する金属板の薄板化が可能になる。
【００４２】
上記固定側取付け板１０の側縁と可動側取付け板１１の側縁は、図２（ｂ）のように階段壁面に向けて直角に折れ曲がる当接片３８と３９となり、当接状態で主に可動レール２ｂの垂直の荷重を支持すると共に、固定側取付け板１０の側縁に設けた押さえ材４０は、固定側取付け板１０の側縁で下部寄りの位置にボルト、ナット４１で固定したＬ形部材で形成され、固定レール２ａに対して可動レール２ｂが延長状態で、可動レール２ｂに偏荷重が作用した場合、可動側取付け板１１に設けた当接片３９の下部が押さえ材４０に当接することになり、椅子４によって可動レール２ｂに加わる階段壁面と反対側に向けての偏荷重を支持することになる。
【００４３】
上記可動側取付け板１１に固定したブラケット１３は、図６に示すように、可動側取付け板１１の側面に重ねて固定した上下に柱部材４２の下端に鋼製のベース部材４３を固定し、このベース部材４３に被せたカバー部材４４の下面に、ショア硬度の高いウレタン等を用いた接地部材４５を取付け、接地部材４５の下面に床面への吸着発生を防ぐための凹溝４６が形成されている。
【００４４】
この発明のレール収納装置は上記のような構成であり、椅子式階段昇降装置１を使用するときは、図１の実線と図２のように、固定レール２ａの先端に可動レール２ｂを延長状の配置としておく。なお、各図面では、可動レール２ｂは直線状としたが、階段の条件によっては下向きに湾曲している場合もある。
【００４５】
この状態で、固定レール２ａと可動レール２ｂの接合部分は、固定レール２ａの先端に可動レール２ｂの後端が当たり、両取り付け板１０と１１の側縁が当接し、かつ、可動側取付け板１１の先端下部に設けたブラケット１３が階段の下階床面に接地し、レール２のラックチエン６が延長状になっている。
【００４６】
従って、レール２に沿って昇降する椅子４は固定レール２ａから可動レール２ｂに進入可能となり、階段Ａの下階床面上の部分まで下降させることができる。
【００４７】
上記のように、固定レール２ａに対して可動レール２ｂが延長状態で、回転アーム１４はレール２と平行する状態となり、固定側取付け板１０の当接片３８に可動側取付け板１１の当接片３９が当接し、可動側取付け板１１に設けた当接片３９の下部が押さえ材４０に臨み、更に、可動レール２ｂの下端側に設けたブラケット１３が下階床面上に接地している。
【００４８】
従って、上記椅子４が可動レール２ｂにあるとき、可動レール２ｂに加わる主に鉛直荷重は、固定側取付け板１０と可動側取付け板１１の当接片３８と３９の当接と、床面に接地するブラケット１３で支持され、また、可動レール２ｂに加わる階段壁面と反対側に向けての偏荷重は、可動側取付け板１１の当接片３９が、固定側取付け板１０の側縁で下部寄りの位置に固定した押さえ材４０に当接することで支持されることになる。
【００４９】
また、上記の状態で、回転アーム１４に作用する偏荷重は、この回転アーム１４の中間部が固定側取付け板１０に固定した支持部材３４により支持されるので、支持軸１７、１９や軸受１８、２０のみに負荷がかからないようになっていると共に、回転アーム１４の一方支持軸１７を受ける固定側取付け板１０は、固定レール２ａと共締めの補強バー３５で支持軸１７の両側が補強されているので、支持軸１７に加わる荷重を固定側取付け板１０で安定的に支持することができる。
【００５０】
上記のように、回転アーム１４の他方支持軸１９に片持ち状態で支持されている可動レール２ｂに、椅子４と利用者の重量による荷重が加わっても、両当接片３８、３９の当接と当接片３９の押さえ材４０への当接及びブラケット１３により、鉛直荷重とねじれ荷重の何れもが支持されることになり、椅子４が可動レール２ｂを走行するとき、椅子４が前倒れになることがなく、また、固定レール２ａと可動レール２ｂの継目部にねじれの発生を防ぐことで、この継目部を椅子４が通過する際に、継目部のねじれによる振動の発生を抑えることができ、これによって、利用者が感じる恐怖感を和らげ、乗り心地を向上させる。
【００５１】
なお、椅子式階段昇降装置１を使用しないときは、椅子４をレール２に沿って上昇させ、図１に示したように、階段Ａの上階側に設定した待機位置にまで移動させ、椅子４が待機位置にあることを電気的に検出した状態で、階段Ａの下階適所に配置した操作ボックスの収納スイッチを押すと、モータ２１が起動して回転アーム１４が上方へ回動し、この回転アーム１４の他端側に取付けた可動レール２ｂは、階段Ａの下階床面上から持ち上げられ、固定レール２ａの上部位置に略平行する姿勢で収納され、図３や図８のように、階段Ａの下階壁面Ｂから床面上へのレール２の突出部分がなくなり、階段Ａの下階床面の歩行等に対する安全性を確保する。
【００５２】
また、可動レール２ｂを固定レール２ａの上部に略平行する姿勢で収納した状態で、椅子式階段昇降装置１を使用するときは、階段Ａの下階適所に配置した操作ボックスの使用スイッチを押すと、回転アーム１４は下方に回動し、可動レール２ｂは、階段Ａの下階床面上に向けて下降回動し、固定レール２ａの先端に延長状の配置となる。
【図面の簡単な説明】
【００５３】
【図１】可動レールを延長位置にしたこの発明のレール収納装置と椅子式階段昇降機の階段壁面側から見た正面図
【図２】（ａ）はレール収納装置の可動レールを延長位置にした状態の階段壁面側から見た拡大正面図、（ｂ）は（ａ）の矢印ｃ−ｃの拡大した横断平面図
【図３】レール収納装置の可動レールを収納した折り畳み状態の階段壁面側から見た縦断正面図
【図４】（ａ）は図２の矢印ａ−ａ線での拡大した縦断側面図、（ｂ）は図２の矢印ｂ−ｂ線での拡大した縦断側面図
【図５】固定レールと固定側取付け板及び椅子の関係を拡大した縦断面図
【図６】（ａ）は可動レールとこれに取付けたブラケットの関係を示す縦断正面図、（ｂ）は同側面図、（ｃ）はブラケットの拡大した正面図、（ｄ）はブラケットの底面図
【図７】（ａ）は固定側取付け板に対する支持部材の取付け状態を示す階段壁面側から見た縦断正面図、（ｂ）は（ａ）の矢印ｂ−ｂに沿った支持部材の取付け部分を拡大した横断平面図、（ｃ）は支持部材の斜視図
【図８】レール収納装置の可動レールを延長位置にした状態の斜視図
【図９】レール収納装置の可動レールを収納した折り畳み状態の斜視図
【符号の説明】
【００５４】
１        椅子式階段昇降装置
２        レール
２ａ      固定レール
２ｂ      可動レール
３        支柱
４        椅子
５        中間板
６        チエンラック
７        車輪
８        昇降機構
９        ピニオン
１０      取付け板
１１      取付け板
１２      支柱
１３      ブラケット
１４      回転アーム
１４      回転駆動機構
１６      姿勢保持機構
１７      支持軸
１８      軸受
１９      支持軸
２０      軸受
２１      ギヤードモータ
２２      小径駆動スプロケット
２３      大径スプロケット
２４      チエン
２５      スプロケット
２６      スプロケット
２７      エンドレスチエン
２８      中間スプロケット
２９      シリンダ
３０      リミットスイッチ
３１      リミットスイッチ
３２      カバー
３３      カバー
３４      支持部材
３５      補強バー
３６      スペーサ
３７      ボルト
３８      当接片
３９      当接片
４０      押さえ材
４１      ボルト、ナット
４２      柱部材
４３      ベース部材
４４      カバー部材
４５      接地部材
４６      凹溝
【図１】
2008201520.tif 000003
【図２】
2008201520.tif 000004
【図３】
2008201520.tif 000005
【図４】
2008201520.tif 000006
【図５】
2008201520.tif 000007
【図６】
2008201520.tif 000008
【図７】
2008201520.tif 000009
【図８】
2008201520.tif 000010
【図９】
2008201520.tif 000011